(57)【要約】【課題】フレキシブルディスプレイを自動で収納することができる電子機器を提供する。【解決手段】電子機器は、フレキシブルディスプレイと、第１ワイヤ１１２と、第２ワイヤ１１３と、制御部１１６と、を備える。第１ワイヤ１１２は、フレキシブルディスプレイにおいて第１方向に沿う一方の端部側と他方の端部側とのそれぞれに配され、電流が供給されると発熱して湾曲した状態に変化する。第２ワイヤ１１３は、フレキシブルディスプレイにおいて第１方向に沿う一方の端部側と他方の端部側とのそれぞれに配され、電流が供給されると発熱して伸びた状態に変化する。制御部１１６は、第１トリガが発生した場合に、第１ワイヤ１１２に電流を供給するよう制御し、第２トリガが発生した場合に、第２ワイヤ１１３に電流を供給するよう制御する。【選択図】図３
2015152816.tif 000002
【特許請求の範囲】
【請求項１】
フレキシブルディスプレイと、
前記フレキシブルディスプレイにおいて第１方向に沿う一方の端部側と他方の端部側とのそれぞれに配され、電流が供給されると発熱して湾曲した状態に変化する第１ワイヤと、
前記フレキシブルディスプレイにおいて前記第１方向に沿う前記一方の端部側と前記他方の端部側とのそれぞれに配され、電流が供給されると発熱して伸びた状態に変化する第２ワイヤと、
第１トリガが発生した場合に、前記第１ワイヤに電流を供給するよう制御し、第２トリガが発生した場合に、前記第２ワイヤに電流を供給するよう制御する制御部と、
を備える電子機器。
【請求項２】
前記第１ワイヤと前記第２ワイヤとの間に断熱材を設ける
請求項１に記載の電子機器。
【請求項３】
前記第１トリガは、前記フレキシブルディスプレイの表示を終了することであり、前記第２トリガは、前記フレキシブルディスプレイの表示を開始することである
請求項１又は２に記載の電子機器。
【請求項４】
前記第１トリガは、前記電子機器の電源を入れることであり、前記第２トリガは、前記電子機器の電源を切ることである
請求項１から３のいずれか一項に記載の電子機器。
【請求項５】
フレキシブルディスプレイと、
前記フレキシブルディスプレイの一端側が接続された回転軸を備えるモータと、
第１トリガが発生した場合に、前記フレキシブルディスプレイを巻き取るために、前記回転軸を第１方向に回転させるようモータを制御し、第２トリガが発生した場合に、前記フレキシブルディスプレイを伸ばすために、前記回転軸を前記第１方向とは反対の第２方向に回転させるよう前記モータを制御する制御部と、
を備える電子機器。
【請求項６】
第１方向と、前記第１方向に直交する第２方向とのそれぞれに２つの端部を有するフレキシブルディスプレイと、
前記第１方向に沿って伸縮可能であり、且つ、前記フレキシブルディスプレイにおける前記第１方向に沿う一方の端部と前記第２方向に沿う一方の端部との交点部と、先端部とおいて少なくとも係合するアンテナと、
前記アンテナを伸縮させるための駆動部と、
第１トリガが発生した場合に、前記フレキシブルディスプレイを収容するために、前記アンテナを縮めるように前記駆動部を制御し、第２トリガが発生した場合に、前記フレキシブルディスプレイを伸ばすために、前記アンテナを伸ばすように前記駆動部を制御する制御部と、
を備える電子機器。
【請求項７】
前記先端部は、前記交点部とは異なる、前記フレキシブルディスプレイにおける角部である
請求項６に記載の電子機器。
【請求項８】
筐体と、
前記筐体に収容され、使用時に筐体から引き出されるフレキシブルディスプレイと、
前記フレキシブルディスプレイのうち前記筐体から引き出されている範囲を検知する検知部と、
前記検知部の検知結果に基づいて、前記フレキシブルディスプレイのうち前記筐体から引き出されている範囲に画像を表示させる制御部と、
を備える電子機器。
【請求項９】
前記フレキシブルディスプレイに圧電素子が貼り付けられ、
前記検知部は、前記圧電素子から出力される信号に基づいて前記フレキシブルディスプレイのうち前記筐体から引き出されている範囲を検知する
請求項８に記載の電子機器。
【請求項１０】
前記制御部は、前記検知部の検知結果に基づいて、前記フレキシブルディスプレイに表示させる画像の色数を変化させる
請求項８又は９に記載の電子機器。
【請求項１１】
前記制御部は、前記検知部の検知結果に基づいて、前記フレキシブルディスプレイに表示させる画像についてのデータの転送レート又は転送データライン数を変化させる
請求項８から１０のいずれか一項に記載の電子機器。
【請求項１２】
前記制御部は、前記検知部の検知結果に基づいて、前記フレキシブルディスプレイの輝度を変化させる
請求項８から１１のいずれか１項に記載の電子機器。
【発明の詳細な説明】
【技術分野】
【０００１】
本発明は、フレキシブルディスプレイを備える電子機器に関する。
【背景技術】
【０００２】
従来から、フレキシブルディスプレイを備える電子機器がある（例えば、特許文献１参照）。
【先行技術文献】
【特許文献】
【０００３】
【特許文献１】特開２００６−１７４５０６号公報
【発明の概要】
【発明が解決しようとする課題】
【０００４】
しかしながら、従来の電子機器では、フレキシブルディスプレイを自動で収納することができなかった。
【０００５】
本発明は、フレキシブルディスプレイを自動で収納することができる電子機器を提供することを目的とする。
【課題を解決するための手段】
【０００６】
電子機器は、フレキシブルディスプレイと、前記フレキシブルディスプレイにおいて第１方向に沿う一方の端部側と他方の端部側とのそれぞれに配され、電流が供給されると発熱して湾曲した状態に変化する第１ワイヤと、前記フレキシブルディスプレイにおいて前記第１方向に沿う前記一方の端部側と前記他方の端部側とのそれぞれに配され、電流が供給されると発熱して伸びた状態に変化する第２ワイヤと、第１トリガが発生した場合に、前記第１ワイヤに電流を供給するよう制御し、第２トリガが発生した場合に、前記第２ワイヤに電流を供給するよう制御する制御部と、を備える。
【０００７】
電子機器は、前記第１ワイヤと前記第２ワイヤとの間に断熱材を設けることが好ましい。
【０００８】
前記第１トリガは、前記フレキシブルディスプレイの表示を終了することであり、前記第２トリガは、前記フレキシブルディスプレイの表示を開始することであることが好ましい。
【０００９】
前記第１トリガは、前記電子機器の電源を入れることであり、前記第２トリガは、前記電子機器の電源を切ることであることが好ましい。
【００１０】
電子機器は、フレキシブルディスプレイと、前記フレキシブルディスプレイの一端側が接続された回転軸を備えるモータと、第１トリガが発生した場合に、前記フレキシブルディスプレイを巻き取るために、前記回転軸を第１方向に回転させるようモータを制御し、第２トリガが発生した場合に、前記フレキシブルディスプレイを伸ばすために、前記回転軸を前記第１方向とは反対の第２方向に回転させるよう前記モータを制御する制御部と、を備える。
【００１１】
電子機器は、第１方向と、前記第１方向に直交する第２方向とのそれぞれに２つの端部を有するフレキシブルディスプレイと、前記第１方向に沿って伸縮可能であり、且つ、前記フレキシブルディスプレイにおける前記第１方向に沿う一方の端部と前記第２方向に沿う一方の端部との交点部と、先端部とおいて少なくとも係合するアンテナと、前記アンテナを伸縮させるための駆動部と、第１トリガが発生した場合に、前記フレキシブルディスプレイを収容するために、前記アンテナを縮めるように前記駆動部を制御し、第２トリガが発生した場合に、前記フレキシブルディスプレイを伸ばすために、前記アンテナを伸ばすように前記駆動部を制御する制御部と、を備える。
【００１２】
前記先端部は、前記交点部とは異なる、前記フレキシブルディスプレイにおける角部であることが好ましい。
【００１３】
電子機器は、筐体と、前記筐体に収容され、使用時に筐体から引き出されるフレキシブルディスプレイと、前記フレキシブルディスプレイのうち前記筐体から引き出されている範囲を検知する検知部と、前記検知部の検知結果に基づいて、前記フレキシブルディスプレイのうち前記筐体から引き出されている範囲に画像を表示させる制御部と、を備える。
【００１４】
前記フレキシブルディスプレイに圧電素子が貼り付けられ、前記検知部は、前記圧電素子から出力される信号に基づいて前記フレキシブルディスプレイのうち前記筐体から引き出されている範囲を検知することが好ましい。
【００１５】
前記制御部は、前記検知部の検知結果に基づいて、前記フレキシブルディスプレイに表示させる画像の色数を変化させることが好ましい。
【００１６】
前記制御部は、前記検知部の検知結果に基づいて、前記フレキシブルディスプレイに表示させる画像についてのデータの転送レート又は転送データライン数を変化させることが好ましい。
【００１７】
前記制御部は、前記検知部の検知結果に基づいて、前記フレキシブルディスプレイの輝度を変化させることが好ましい。
【発明の効果】
【００１８】
本発明によれば、フレキシブルディスプレイを自動で収納することができる電子機器を提供することができる。
【図面の簡単な説明】
【００１９】
【図１】第１実施形態に係る電子機器について説明するための図である。
【図２】フレキシブルディスプレイが収納された場合の一例について説明するための図である。
【図３】第１実施形態の電子機器について説明するためのブロック図である。
【図４】第２実施形態に係る電子機器について説明するための図である。
【図５】第３実施形態に係る電子機器について説明するための図である。
【図６】第４実施形態に係る電子機器について説明するための図である。
【図７】第４実施形態に係る電子機器について説明するためのブロック図である。
【発明を実施するための形態】
【００２０】
［第１実施形態］
以下、本発明の実施形態について説明する。図１は、第１実施形態に係る電子機器について説明するための図である。図２は、フレキシブルディスプレイが収納された場合の一例について説明するための図である。図３は、第１実施形態の電子機器について説明するためのブロック図である。
【００２１】
電子機器１０１は、フレキシブルディスプレイ１１１を備えるタイプである。電子機器１０１は、例えば、携帯通信端末、携帯ゲーム機、携帯情報端末、又は電子書籍リーダ等である。
電子機器１０１は、フレキシブルディスプレイ１１１と、第１ワイヤ１１２と、第２ワイヤ１１３と、断熱部１１４と、供給部１１５と、制御部１１６と、を備える。
【００２２】
フレキシブルディスプレイ１１１は、可撓性を有するため、曲げること又は巻くことができる。フレキシブルディスプレイ１１１は、液晶ディスプレイ又は有機ＥＬ（Ｅｌｅｃｔｒｏｌｕｍｉｎｅｓｃｅｎｃｅ）ディスプレイ等である。
【００２３】
第１ワイヤ１１２は、フレキシブルディスプレイ１１１において第１方向Ａに沿う一方の端部側と他方の端部側とのそれぞれに配される。第１ワイヤ１１２は、湾曲した状態で形状記憶された形状記憶合金からなり、所定温度未満（例えば常温）では、変形可能な状態（一例として伸びた状態）であって所定温度以上になると、形状記憶された湾曲された状態となる。第１ワイヤ１１２は、電流が供給されると発熱して、現在の形状（例えば、直線状に伸びた状態）から形状記憶された湾曲した状態に変化する。それに伴って、フレキシブルディスプレイ１１１は、湾曲する。
【００２４】
ここで、形状記憶された湾曲した状態とは、例えば、巻物状に湾曲した状態である。
一方の端部側に配される第１ワイヤ１１２と、他方の端部側に配される第１ワイヤ１１２とは、同一方向（例えば、図１における表側）に湾曲する。第１ワイヤ１１２は、第１方向Ａに沿って湾曲する。第１ワイヤ１１２の湾曲に伴って、フレキシブルディスプレイ１１１は、湾曲する。
【００２５】
また、このとき、第２ワイヤ１１３は、電流が供給されておらず、加熱されていない状態であって、つまり、形状記憶された形状になる所定温度未満の温度（例えば、常温）であって、曲がりやすい状態にある。従って、第２ワイヤ１１３は、第１ワイヤ１１２及びフレキシブルディスプレイ１１１の湾曲に伴って湾曲する。
【００２６】
これによって、第１ワイヤ１１２に電流が供給され発熱すると、例えば、真っ直ぐに伸びていたフレキシブルディスプレイ１１１が巻物状に湾曲することで、フレキシブルディスプレイ１１１をまとめることにより、外部に露出する表面積を小さくすることができ、コンパクトにすることができる。
【００２７】
また、このとき、第１ワイヤ１１２が湾曲された状態を維持するために、第１ワイヤ１１２に継続的に電流を供給し続けてもよく、このようにすれば、フレキシブルディスプレイ１１１の湾曲が自然に解除され、フレキシブルディスプレイ１１１がまとめられた状態から自然と離脱することを低減することができる。
【００２８】
ここで、例えば、第１ワイヤ１１２は、フレキシブルディスプレイに対して固定されているため、第１ワイヤ１１２の変形（例えば、湾曲）に伴って、フレキシブルディスプレイ１１１は、変形（例えば、湾曲）する。
【００２９】
また、本実施形態では、第１ワイヤ１１２は、フレキシブルディスプレイ１１１の周囲に、第１方向Ａに沿うように設けられているが、これに限られず、フレキシブルディスプレイ１１１内部に設けられていてもよく、又はフレキシブルディスプレイ１１１の裏側に貼り付けられていてもよい。また、第１ワイヤ１１２は、２つに限られず、１つであっても、若しくは３つ以上であってもよい。
【００３０】
第２ワイヤ１１３は、フレキシブルディスプレイ１１１において第１方向Ａに沿う一方の端部側と他方の端部側とのそれぞれに配される。第２ワイヤ１１３は、真っ直ぐに伸びた状態で形状記憶された形状記憶合金からなり、所定温度未満（例えば常温）では、変形可能な状態（一例として湾曲した状態）であって所定温度以上になると、形状記憶された真っ直ぐに伸びた状態となる。第２ワイヤ１１３は、電流が供給されると発熱して、現在の形状（例えば、湾曲した状態）から形状記憶された真っ直ぐに伸びた状態に変化する。それに伴って、フレキシブルディスプレイ１１１は、真っ直ぐに伸びる。一方の端部側に配される第２ワイヤ１１３と、他方の端部側に配される第２ワイヤ１１３とは、同一方向（例えば、第１方向Ａ）に真っ直ぐに伸びる。第２ワイヤ１１３は、第１方向Ａに向かって真っ直ぐになる。第２ワイヤ１１３の伸びに伴って、フレキシブルディスプレイ１１１は、平面状になる。
【００３１】
また、このとき、第１ワイヤ１１２は、電流が供給されておらず、加熱されていない状態であって、つまり、形状記憶された状態になる所定温度未満の温度（例えば、常温）であって、曲がりやすい状態にある。従って、第１ワイヤ１１２は、第２ワイヤ１１３及びフレキシブルディスプレイ１１１の湾曲に伴って湾曲する。
【００３２】
これによって、第２ワイヤ１１３に電流が供給され発熱すると、例えば、巻物状にコンパクト化されていたフレキシブルディスプレイ１１１を巻物状から解除し、ユーザがディスプレイを視聴することができるようになる。
【００３３】
また、このとき、第２ワイヤ１１３が真っ直ぐ伸びた状態を維持するために、第２ワイヤ１１３に継続的に電流を供給し続けてもよく、このようにすれば、フレキシブルディスプレイ１１１が真っ直ぐ伸びた状態が自然に解除され、ユーザがフレキシブルディスプレイ１１１を視聴している途中で視聴にくくなることを低減することができる。
【００３４】
なお、第２ワイヤ１１３は、電流が供給され発熱すると、現在の形状から形状記憶された真っ直ぐに伸びた状態に変化するとしたが、これに限られず、例えば、巻物状に湾曲した状態から巻物状態が解除される程度に湾曲した状態に変化することとしてもよい。
【００３５】
また、本実施形態においては、第２ワイヤ１１３が、第１ワイヤ１１２より内側に配置されているが、これに限られず、第２ワイヤ１１３が、第１ワイヤ１１２より外側に配置されていてもよい。
【００３６】
なお、第１ワイヤ１１２及び第２ワイヤ１１３は、ヒートシンク（図示せず）に接続されてもよい。第１ワイヤ１１２及び第２ワイヤ１１３がヒートシンクに接続される場合には、第１ワイヤ１１２又は第２ワイヤ１１３において熱の発生が終了すると、第１ワイヤ１１２又は第２ワイヤ１１３を直ぐに冷やすことができる。よって、一例として、第１ワイヤ１１２での熱の発生が終了した後に、第２ワイヤ１１３で熱を発生させる場合でも、フレキシブルディスプレイ１１１を湾曲した状態から伸びた状態に変化させることができる。
【００３７】
断熱部１１４は、第１ワイヤ１１２と第２ワイヤ１１３とを断熱する断熱材である。断熱部１１４は、第１ワイヤ１１２と第２ワイヤ１１３との間に配される。又は、断熱部１１４は、第１ワイヤ１１２と第２ワイヤ１１３とのそれぞれを覆うように配される。断熱部１１４は、可撓性を有する。
【００３８】
供給部１１５は、第１ワイヤ１１２及び第２ワイヤ１１３に電流を供給する。供給部１１５は、第１ワイヤ１１２及び第２ワイヤ１１３に対して独立に電流を供給する。第１ワイヤ１１２は、供給部１１５から電流が供給されるとジュール熱を発生して、この熱により湾曲する。第２ワイヤ１１３は、供給部１１５から電流が供給されるとジュール熱を発生して、この熱により伸びる。
【００３９】
制御部１１６は、第１トリガが発生した場合に、第１ワイヤ１１２のみに電流を供給するよう供給部１１５を制御する。制御部１１６は、第２トリガが発生した場合に、第２ワイヤ１１３のみに電流を供給するよう供給部１１５を制御する。
【００４０】
例えば、第１トリガは、電子機器１０１の操作部（図示せず）を構成する電源ボタン（図示せず）が操作されることにより、電子機器１０１の電源がオフ（切断）にされた場合に発生する。又は、例えば、第１トリガは、電子機器１０１の操作部（図示せず）を構成する収納ボタン（図示せず）が操作されることにより、フレキシブルディスプレイ１１１を収納させるための操作が行われた場合に発生する。又は、例えば、電子機器１０１が携帯通信端末である場合には、携帯通信端末が通信の待ち受け状態に移行すると、第１トリガは発生する。第１ワイヤ１１２のみに電流が供給されると、フレキシブルディスプレイ１１１は、図２に示すように湾曲して、収納状態となる。
また、電子機器１０１は、ユーザの視線を検出する視線検出部を備え、ユーザによるフレキシブルディスプレイ１１１に対する視線を検出しなくなったことを、第１トリガとしてもよい。
【００４１】
例えば、第２トリガは、電子機器１０１の操作部（図示せず）を構成する伸びボタン（図示せず）が操作されることにより、フレキシブルディスプレイ１１１を伸ばすための操作が行われた場合に発生する。又は、電子機器１０１の操作部（図示せず）を構成する電源ボタン（図示せず）が操作されることにより、電子機器１０１の電源がオン（入）にされた場合に発生する。例えば、電子機器１０１が携帯通信端末である場合には、携帯電話機に着信があると、第２トリガは発生する。第２ワイヤ１１３のみに電流が流れると、フレキシブルディスプレイ１１１は、図１に示すように伸びて、展開状態となる。フレキシブルディスプレイ１１１が、図１に示す状態になると、画像を表示することが可能になる。
また、画面の表示することを第２トリガとしてもよく、そうすると、画面の表示と連動して、フレキシブルディスプレイ１１１を展開状態とすることができる。
【００４２】
このような電子機器１０１は、トリガに応じて第１ワイヤ１１２及び第２ワイヤ１１３のいずれかに電流を供給するので、ワイヤの湾曲に伴って自動的にフレキシブルディスプレイ１１１を収納又は展開することができる。
【００４３】
［第２実施形態］
次に、第２実施形態について説明する。図４は、第２実施形態に係る電子機器について説明するための図である。
電子機器２０１は、フレキシブルディスプレイ２１１を備えるタイプである。電子機器２０１は、例えば、携帯通信端末、携帯ゲーム機、携帯情報端末、又は電子書籍リーダ等である。
【００４４】
電子機器２０１は、フレキシブルディスプレイ２１１と、モータ（第１モータ２１２）と、制御部２１４と、を備える。
フレキシブルディスプレイ２１１は、第１実施形態で説明したフレキシブルディスプレイ１１１と同様なタイプである。
【００４５】
モータ（第１モータ２１２）は、フレキシブルディスプレイ２１１の一端側が接続された回転軸２１３を備える。第１モータ２１２が回転軸２１３を第２方向Ｃに回転させる場合、フレキシブルディスプレイ２１１は回転軸２１３に巻き取られて収納される。第１モータ２１２が回転軸２１３を第３方向Ｄに回転させる場合には、フレキシブルディスプレイ２１１は、引き出されて、画像を表示することが可能になる。第２方向は、第３方向とは反対向きの回転方向である。
【００４６】
第１モータ２１２には、例えば、バイブレーション用のモータを利用することができる。電子機器２０１が携帯通信端末の場合、バイブレーション用のモータは、例えば、着信又は受信があったことを知らせるために、振動を発生させるモータである。第１モータ２１２及び回転軸２１３は、例えば、他の電子部品と共に筐体（図示せず）の内部に配される。
【００４７】
制御部２１４は、第１トリガが発生した場合に、フレキシブルディスプレイ２１１を収容するために、回転軸２１３を第２方向Ｃに回転させるようモータを制御する。制御部２１４は、第２トリガが発生した場合に、フレキシブルディスプレイ２１１を伸ばすために、回転軸２１３を第２方向Ｃとは反対の第３方向Ｄに回転させるようモータを制御する。
【００４８】
第１トリガ及び第２トリガは、例えば、第１実施形態で説明した第１トリガ及び第２トリガそれぞれと同様のトリガである。制御部２１４は、第１トリガが発生した場合に、第１モータ２１２を駆動させて、上述した筐体の内部にフレキシブルディスプレイ２１１を収納する。制御部２１４は、第２トリガが発生した場合に、第１モータ２１２を駆動させて、上述した筐体から外部にフレキシブルディスプレイ２１１を伸ばす。
【００４９】
これにより、電子機器２０１は、トリガに応じて、フレキシブルディスプレイ２１１を収納し又はフレキシブルディスプレイ２１１を伸ばすので、フレキシブルディスプレイ２１１を自動で収納することができる。
【００５０】
［第３実施形態］
次に、第３実施形態について説明する。図５は、第３実施形態に係る電子機器について説明するための図である。
電子機器３０１は、フレキシブルディスプレイ３１１を備えるタイプである。電子機器３０１は、例えば、携帯通信端末、携帯ゲーム機、携帯情報端末、又は電子書籍リーダ等である。
【００５１】
電子機器３０１は、フレキシブルディスプレイ３１１と、アンテナ３１２と、駆動部３１３と、制御部３１４と、を備える。
【００５２】
フレキシブルディスプレイ３１１は、可撓性を有するため、曲げること又は折り曲げることができる。フレキシブルディスプレイ３１１は、液晶ディスプレイ又は有機ＥＬ（Ｅｌｅｃｔｒｏｌｕｍｉｎｅｓｃｅｎｃｅ）ディスプレイ等である。フレキシブルディスプレイ３１１は、矩形である。このため、フレキシブルディスプレイ３１１は、第１方向Ａと、第１方向Ａに直交する第４方向Ｂとのそれぞれに２つの端部を有する。
【００５３】
アンテナ３１２は、第１方向Ａに沿って伸縮可能である。アンテナ３１２は、伸縮アンテナである。アンテナ３１２は、一例として、放送波を受信するために利用される。アンテナ３１２は、フレキシブルディスプレイ３１１における第１方向Ａに沿う一方の端部と第４方向Ｂに沿う一方の端部との交点部３１１ａと、先端部３１２ａとおいて少なくとも係合する。第１方向Ａに沿う一方の端部は、図５に示す場合では、フレキシブルディスプレイ３１１の左側の端部である。第４方向Ｂに沿う一方の端部は、フレキシブルディスプレイ３１１の先端側の端部である。すなわち、第４方向Ｂに沿う一方の端部は、図５に示す場合では、フレキシブルディスプレイ３１１の上側の端部である。交点部３１１ａは、図５に示す場合では、フレキシブルディスプレイ３１１の左上の角部である。したがって、アンテナ３１２の先端部３１２ａは、フレキシブルディスプレイ３１１の左上の角部と係合する。係合位置が移動しなければ、アンテナ３１２の先端部３１２ａとフレキシブルディスプレイ３１１の左上の角部とは任意の手段により係合されてよい。
【００５４】
駆動部３１３は、アンテナ３１２を伸縮させる。駆動部３１３は、一例として、モータ（第２モータ）である。第２モータの回転軸には、例えば、歯車（図示せず）が配される。歯車は、例えば、アンテナ３１２の基端部３１２ｂに配されたラック（図示せず）に噛み合う。第２モータの回転に応じて歯車が回転することに基づいて、ラック（アンテナ３１２）が移動する。すなわち、アンテナ３１２は、第２モータの回転方向に応じて、矢印Ｅ方向に移動させることにより収納され（縮み）、又は、矢印Ｆ方向に移動することにより伸びる。
【００５５】
制御部３１４は、第１トリガが発生した場合に、フレキシブルディスプレイ３１１を収容するために、アンテナ３１２を縮めるように駆動部３１３を制御する。制御部３１４は、第２トリガが発生した場合に、フレキシブルディスプレイ３１１を伸ばすために、アンテナ３１２を伸ばすように駆動部３１３を制御する。
【００５６】
第１トリガ及び第２トリガは、例えば、第１実施形態で説明した第１トリガ及び第２トリガそれぞれと同様のトリガである。アンテナ３１２の先端部３１２ａとフレキシブルディスプレイ３１１とが係合しているため、アンテナ３１２が縮む場合には、フレキシブルディスプレイ３１１も引き込まれる。例えば、第２実施形態と同様に、フレキシブルディスプレイ３１１の基端部がモータ（第１モータ３１５）の回転軸に接続されてよい。制御部３１４は、アンテナ３１２を縮めるように駆動部３１３を制御する場合には、回転軸が矢印Ｃ方向に回転するよう第１モータ３１５を制御する。これにより、フレキシブルディスプレイ３１１は、回転軸に巻き取るように収納させる。制御部３１４は、アンテナ３１２を伸ばすように駆動部３１３を制御する場合には、回転軸が矢印Ｄ方向に回転するよう第１モータ３１５を制御する。これにより、フレキシブルディスプレイ３１１は、回転軸から引き出されて、画像を表示することが可能になる。
また、第１トリガは、アンテナ３１２による放送波の受信の終了若しくはフレキシブルディスプレイ３１１による映像の表示の終了をその契機としてもよい。
また、第２トリガは、アンテナ３１２による放送波の受信の開始若しくはフレキシブルディスプレイ３１１による映像の表示の開始をその契機としてもよい。
【００５７】
このように、電子機器３０１は、アンテナ３１２とフレキシブルディスプレイ３１１とを係合させているので、アンテナ３１２によってフレキシブルディスプレイ３１１を支えることができ、ユーザに画像を視認させやすくすることができる。また、電子機器３０１は、アンテナ３１２の伸縮と、フレキシブルディスプレイ３１１の収納又は引き出しとを連動させるので、フレキシブルディスプレイ３１１を自動で収納することができる。
【００５８】
［第４実施形態］
次に、第４実施形態について説明する。図６は、第４実施形態に係る電子機器について説明するための図である。図６（Ａ）は、電子機器の斜視図である。図６（Ｂ）は、電子機器の断面図である。図７は、第４実施形態に係る電子機器について説明するためのブロック図である。
電子機器４０１は、フレキシブルディスプレイ４１２を備えるタイプである。電子機器４０１は、例えば、携帯通信端末、携帯ゲーム機、携帯情報端末、又は電子書籍リーダ等である。
【００５９】
電子機器４０１は、筐体４１１と、フレキシブルディスプレイ４１２と、検知部４１３と、制御部４１４と、を備える。
【００６０】
筐体４１１は、フレキシブルディスプレイ４１２を内部に収容することが可能である。例えば、筐体４１１は、フレキシブルディスプレイ４１２を巻き取るように収容することが可能である。筐体４１１は、フレキシブルディスプレイ４１２が通過する開口部４１１ａを備える。
【００６１】
フレキシブルディスプレイ４１２は、使用時に筐体４１１から引き出される。すなわち、フレキシブルディスプレイ４１２は、開口部４１１ａを介して筐体４１１に収容される。フレキシブルディスプレイ４１２は、開口部４１１ａを介して筐体４１１から引き出される。
【００６２】
検知部４１３は、フレキシブルディスプレイ４１２のうち筐体４１１から引き出されている部分を検知する。検知部４１３は、一例としてフレキシブルディスプレイ４１２に重ねて配置された圧電素子シートである。圧電素子シートは、フレキシブルディスプレイ４１２の略全面に配される。又は、圧電素子シートは、フレキシブルディスプレイ４１２の縁部に配される。圧電素子シートがフレキシブルディスプレイ４１２の縁部に配される場合、圧電素子シートは、フレキシブルディスプレイ４１２の筐体４１１からの引き出し方向に沿う１つ又は２つの縁部に配されることが好ましい。圧電素子シートは、複数の圧電素子（図示せず）が全面に配される。圧電素子シートが湾曲する場合には、湾曲した部分に配される圧電素子は、湾曲に伴う圧力を検知することに基づいて、電気信号を制御部４１４に出力する。
【００６３】
制御部４１４は、検知部４１３の検知結果に基づいて、フレキシブルディスプレイ４１２のうち筐体４１１から引き出されている部分において画像を表示させる。制御部４１４は、圧電素子から出力された電気信号を受け付ける。制御部４１４は、電気信号を受け付けると、電気信号を出力した圧電素子の位置に基づいて、フレキシブルディスプレイ４１２の湾曲する位置を特定する。ここで、図６（Ｂ）に例示する場合では、フレキシブルディスプレイ４１２が湾曲する部分は限定される。制御部４１４は、フレキシブルディスプレイ４１２の湾曲する位置（湾曲位置）、その湾曲位置から開口部４１１ａまでの距離、及びフレキシブルディスプレイ４１２の長さ等に基づいて、フレキシブルディスプレイ４１２における筐体４１１から引き出されている部分を特定する。特定したフレキシブルディスプレイ４１２の部分は、画像を表示した場合に、ユーザに視認させることができる領域である。このため、制御部４１４は、画像を表示する場合に、種々の方法により画像のサイズを調整して、特定した部分に調整後の画像を表示させる。また、制御部４１４は、フレキシブルディスプレイ４１２における筐体４１１から引き出されている部分の大きさに応じて、画像を表示させる向きを変更する。
【００６４】
また、制御部４１４は、検知部４１３の検知結果に基づいて、フレキシブルディスプレイ４１２に表示させる画像の色数を変化させてもよい。すなわち、制御部４１４は、筐体４１１から引き出されているフレキシブルディスプレイ４１２の長さに応じて、画像の色数を変化させる。例えば、筐体４１１から引き出されているフレキシブルディスプレイ４１２の長さが第１の閾値Ａ未満の場合には、制御部４１４は、２４ｂｉｔカラーでフレキシブルディスプレイ４１２の特定の部分に画像を表示させる。すなわち、制御部４１４は、２４ｂｉｔカラーの画像データを表示部に送信する。例えば、筐体４１１から引き出されているフレキシブルディスプレイ４１２の長さが第１の閾値Ａ以上第２の閾値Ｂ未満（Ａ＜Ｂ）の場合には、制御部４１４は、１８ｂｉｔカラーでフレキシブルディスプレイ４１２の特定の部分に画像を表示させる。すなわち、制御部４１４は、１８ｂｉｔカラーの画像データを表示部に送信する。例えば、筐体４１１から引き出されているフレキシブルディスプレイ４１２の長さが第２の閾値Ｂ未満の場合には、制御部４１４は、１６ｂｉｔカラーでフレキシブルディスプレイ４１２の特定の部分に画像を表示させる。すなわち、制御部４１４は、１６ｂｉｔカラーの画像データを表示部に送信する。
【００６５】
また、制御部４１４は、検知部４１３の検知結果に基づいて、フレキシブルディスプレイ４１２に表示させる画像についてのデータの転送レート及び転送データライン数を変化させてもよい。すなわち、制御部４１４は、筐体４１１から引き出されているフレキシブルディスプレイ４１２の長さに応じて、データの転送レート及び転送データライン数を変化させる。例えば、筐体４１１から引き出されているフレキシブルディスプレイ４１２の長さが第１の閾値Ａ未満の場合には、制御部４１４は、画像転送クロックを低速として、又はクロック周波数若しくはデータ転送レート（ｂｐｓ）を小さくして、フレキシブルディスプレイ４１２の特定の部分に画像を表示させる。例えば、筐体４１１から引き出されているフレキシブルディスプレイ４１２の長さが第１の閾値Ａ以上第２の閾値Ｂ未満（Ａ＜Ｂ）の場合には、制御部４１４は、画像転送クロック（クロック周波数若しくは画像転送レート（ｂｐｓ））を標準として、フレキシブルディスプレイ４１２の特定の部分に画像を表示させる。例えば、筐体４１１から引き出されているフレキシブルディスプレイ４１２の長さが第２の閾値Ｂ以上の場合には、制御部４１４は、画像転送クロックを高速として、又はクロック周波数若しくはデータ転送レート（ｂｐｓ）を大きくして、フレキシブルディスプレイ４１２の特定の部分に画像を表示させる。
【００６６】
これによって、引き出されているフレキシブルディスプレイの長さに応じて、画像転送クロックを変えることで、画像の表示に掛かる時間をフレキシブルディスプレイの長さが変化してもほぼ一定とすることができる。つまり、例えば、フレキシブルディスプレイの長さが長い場合には画像転送クロックを高速にすることで、画像の表示に掛かる時間をより短縮することができる。また、フレキシブルディスプレイの長さが短い場合に画像転送クロックを高速としてしまうと、消費電力が増大してしまうので、画像転送クロックを低速にすることにより、消費電力の増大を低減することができる。
【００６７】
また、高速シリアル転送等の場合には、データレーンの数を増やすことによっても転送レートを増加させることの可能であるため、制御部４１４は、上記と同様の処理でデータレーンの数を変更することによって転送時間を調整することができる。つまり、例えば、筐体４１１から引き出されているフレキシブルディスプレイ４１２の長さが第１の閾値Ａ未満の場合には、基準のデータレーンの数よりデータレーンの数を小さくし、筐体４１１から引き出されているフレキシブルディスプレイ４１２の長さが第２の閾値Ｂ以上の場合には、基準のデータレーンの数よりデータレーンの数を多くする。
【００６８】
また、制御部４１４は、検知部４１３の検知結果に基づいて、フレキシブルディスプレイ４１２の輝度を変化させてもよい。すなわち、制御部４１４は、筐体４１１から引き出されているフレキシブルディスプレイ４１２の長さに応じて、フレキシブルディスプレイ４１２の輝度を変化させる。例えば、筐体４１１から引き出されているフレキシブルディスプレイ４１２の長さが第１の閾値Ａ未満の場合には、制御部４１４は、フレキシブルディスプレイ４１２の輝度を第１の設定Ｘとして、フレキシブルディスプレイ４１２の特定の部分に画像を表示させる。例えば、筐体４１１から引き出されているフレキシブルディスプレイ４１２の長さが第１の閾値Ａ以上第２の閾値Ｂ未満（Ａ＜Ｂ）の場合には、制御部４１４は、フレキシブルディスプレイ４１２の輝度を第２の設定Ｙ（Ｘ＞Ｙ）として、フレキシブルディスプレイ４１２の特定の部分に画像を表示させる。例えば、筐体４１１から引き出されているフレキシブルディスプレイ４１２の長さが第２の閾値Ｂ未満の場合には、制御部４１４は、フレキシブルディスプレイ４１２の輝度を第３の設定Ｚ（Ｙ＞Ｚ）として、フレキシブルディスプレイ４１２の特定の部分に画像を表示させる。
【００６９】
これにより、電子機器４０１は、適切な画像表示を行うことができる。また、電子機器４０１は、色数の調整を行うので、フレキシブルディスプレイ４１２に送信する画像データのデータ量が大きくなるのを防ぐことができる。また、電子機器４０１は、転送レート又は転送データライン数を調整するので、画像データの転送時間を調整することができる。また、電子機器４０１は、輝度を調整するので、より大きい画面の場合に高輝度で画像を表示することを防ぐことができ、電力の消費を抑えることができる。
【００７０】
また、制御部４１４は、検知部４１３の検知結果に基づいて、データ数を変更してもよい。すなわち、制御部４１４は、筐体４１１から引き出されているフレキシブルディスプレイ４１２の長さに応じて、データ拡張機能の使用を制御する。一例として、データ拡張機能は、倍角表示機能である。具体的な一例としては、制御部４１４は、フレキシブルディスプレイ４１２の長さが閾値よりも長い場合に、ＱＨＤ（９５０×５４０）のデータについて、１画素分のデータを４画素分に拡張して、フルＨＤ（１９２０×１０８０）の表示をフレキシブルディスプレイ４１２に行わせる。
【００７１】
なお、上述した実施形態では、検知部が圧電素子シートである例を説明した。しかし、本発明は、この実施形態に限定されることはない。
例えば、検知部は、フレキシブルディスプレイに配された静電容量式タッチパネルと、筐体の内部に配されたＧＮＤプレートと、で構成されてもよい。この例では、静電容量式タッチパネルでＧＮＤプレートを検出することに基づいて、制御部は、タッチパネルディスプレイの引き出し量を取得する。また、ＧＮＤプレートは、具体的には、筐体の内部のフレキシブルディスプレイ４１２の引き出し口近傍に設けられていてもよい。
また、例えば、検知部は、フレキシブルディスプレイに配された静電容量式タッチパネルと、フレキシブルディスプレイに配されたＧＮＤパターンと、で構成されてもよい。この例では、静電容量式タッチパネルでタッチパネルディスプレイ自身の静電容量を検出することに基づいて、制御部は、タッチパネルディスプレイの引き出し量を取得する。
【００７２】
また、例えば、検知部は、フレキシブルディスプレイに配された複数の磁石と、筐体の内部に配された磁気センサと、で構成されてもよい。この例では、磁気センサで磁石の磁力を検出することに基づいて、制御部は、タッチパネルディスプレイの引き出し量を取得する。
また、例えば、検知部は、筐体の内部に配された光センサと、フレキシブルディスプレイに配され、光センサで検出可能な複数のパターンと、で構成されてもよい。この例では、光センサによってパターンで反射した光を検出することに基づいて、制御部は、タッチパネルディスプレイの引き出し量を取得する。
【符号の説明】
【００７３】
１０１…電子機器、１１１…フレキシブルディスプレイ、１１２…第１ワイヤ、１１３…第２ワイヤ、１１４…断熱部、１１５…供給部、１１６…制御部、２０１…電子機器、２１１…フレキシブルディスプレイ、２１２…第１モータ（モータ）、２１４…制御部、３０１…電子機器、３１１…フレキシブルディスプレイ、３１２…アンテナ、３１３…駆動部、３１４…制御部、４０１…電子機器、４１１…筐体、４１２…フレキシブルディスプレイ、４１３…検知部、４１４…制御部
【図１】
2015152816.tif 000003
【図２】
2015152816.tif 000004
【図３】
2015152816.tif 000005
【図４】
2015152816.tif 000006
【図５】
2015152816.tif 000007
【図６】
2015152816.tif 000008
【図７】
2015152816.tif 000009